(57)【要約】【課題】土質改良材の貯留タンクの変形や、貯留タンクの開閉蓋が開かなくなるような不具合を防止することができる自走式土質改良機及びこれに用いる土質改良材供給装置を提供する。【解決手段】受入れた土砂を土質改良材と混合し改質する自走式土質改良機において、土質改良材を貯留する貯留タンク１５と、この貯留タンク１５内の土質改良材を導出するように貯留タンク１５の下部に設けたスクリュフィーダ１６と、貯留タンク１５内に外気を取り入れ可能なように貯留タンク１５の上部カバー３３に設けたエアブリーザ５０とを有する土質改良材供給装置１４を備える。【選択図】  図３
2004225455.tif 000002
【特許請求の範囲】
【請求項１】
受入れた土砂を土質改良材と混合し改質する自走式土質改良機において、
前記土質改良材を貯留する貯留タンクと、この貯留タンク内の土質改良材を導出するように前記貯留タンクの下部に設けた供給手段と、前記貯留タンク内に外気を取り入れ可能なように前記貯留タンクの上部カバーに設けた内圧変動抑制手段とを有する土質改良材供給装置を備えたことを特徴とする自走式土質改良機。
【請求項２】
受入れた土砂を土質改良材と混合し改質する自走式土質改良機において、
前記土質改良材を貯留する貯留タンクと、この貯留タンク内の土質改良材を導出するように前記貯留タンクの下部に設けたスクリュフィーダと、前記貯留タンク内に外気を取り入れ可能なように前記貯留タンクの上部カバーに設けた内圧変動抑制手段とを有する土質改良材供給装置を備えたことを特徴とする自走式土質改良機。
【請求項３】
請求項１又は２記載の自走式土質改良機において、前記内圧変動抑制手段は、内部に中空の通気流路を有する基部と、この基部に螺合した際に、前記基部の通気流路と外気とを接続するように、そのネジ部に通気流路を有するキャップとからなるエアブリーザであることを特徴とする自走式土質改良機。
【請求項４】
受入れた土砂を土質改良材と混合し改質する自走式土質改良機に用いる土質改良材供給装置において、
前記土質改良材を貯留する貯留タンクと、
この貯留タンク内の土質改良材を導出するように前記貯留タンクの下部に設けた供給手段と、
前記貯留タンク内に外気を取り入れ可能なように前記貯留タンクの上部カバーに設けた内圧変動抑制手段と
を備えたことを特徴とする土質改良材供給装置。
【発明の詳細な説明】
【０００１】
【発明の属する技術分野】
本発明は、土砂を受け入れて土質改良材と混合し改質する自走式土質改良機及びこれに用いる土質改良材供給装置に係わるものである。
【０００２】
【従来の技術】
自走式土質改良機は、ホッパに受け入れた土砂を搬送コンベアによって混合装置に搬送し、混合装置内で土砂と土質改良材とを混合処理して生成した改良土を、排出コンベアによって機外に排出する構成のものが主流である。一般に、この種の自走式土質改良機においては、土質改良材を貯留した貯留タンクと、この貯留タンクの下部に配設したいわゆるロータリフィーダからなる供給手段とで構成され、貯留タンク内の土質改良材を、回転駆動するロータの隔壁間の空間に受け入れ、各隔壁間に満たされた土質改良材を、混合装置へと搬送される土砂に対し、順次供給する構成の土質改良材供給装置を備えたものがある（例えば、特許文献１参照）。
【０００３】
【特許文献１】
特開２０００−４５２６３号公報
【０００４】
【発明が解決しようとする課題】
従来、自走式土質改良機は、例えば、建設現場等で発生する建設発生土を、土質改良材と混合処理してリサイクル用の改良土製品を生成するといった建設発生土改良に広く用いられてきた。ところが、近年では、自走式土質改良機の活躍の場も拡大傾向にあり、例えば宅地建設用地等において、掘削した表層の土砂をその場で受け入れて改質し、地盤強化を目的として表層に埋め戻すための改良土を生成したり、道路建設用地等において、現場内の所定の箇所を掘削して得た土砂をその場で受け入れて改質し、路床材として敷設するための改良土を生成するといった、いわゆる表層地盤安定化処理等にも広く用いられるようになってきている。
【０００５】
このような表層地盤安定化処理においては、大量の掘削土砂をその場で逐次処理したり、現場によっては含水比の高い土砂を処理しなければならないため、大量の土質改良材を供給する必要がある。そこで、本願発明者等は、土質改良材供給装置として、大量な土質改良材を供給可能なスクリュフィーダを土質改良材の供給手段に用いた自走式土質改良機を提唱している。
【０００６】
しかしながら、この自走式土質改良機のように、時間当りに大量の土質改良材を供給する自走式土質改良機においては、貯留タンク内の土質改良材が急激に減容するため、貯留タンクの内圧が急激に低下する。このため、貯留タンクの側壁面（蛇腹部分）に強い引っ張り力が作用したり、貯留タンクの土質改良材充填用の開閉蓋を開けることさえ困難な場合も生じる。
【０００７】
本発明は、上記の事柄に基づいてなされたものであり、その目的は、土質改良材の貯留タンクの変形や、貯留タンクの開閉蓋が開かなくなるような不具合を防止することができる自走式土質改良機及びこれに用いる土質改良材供給装置を提供することにある。
【０００８】
【課題を解決するための手段】
上記目的を達成するために、第１の発明は、受入れた土砂を土質改良材と混合し改質する自走式土質改良機において、前記土質改良材を貯留する貯留タンクと、この貯留タンク内の土質改良材を導出するように前記貯留タンクの下部に設けた供給手段と、前記貯留タンク内に外気を取り入れ可能なように前記貯留タンクの上部カバーに設けた内圧変動抑制手段とを有する土質改良材供給装置を備えたことを特徴とする。
【０００９】
また、第２の発明は、受入れた土砂を土質改良材と混合し改質する自走式土質改良機において、前記土質改良材を貯留する貯留タンクと、この貯留タンク内の土質改良材を導出するように前記貯留タンクの下部に設けたスクリュフィーダと、前記貯留タンク内に外気を取り入れ可能なように前記貯留タンクの上部カバーに設けた内圧変動抑制手段とを有する土質改良材供給装置を備えたことを特徴とする。
【００１０】
これら第１及び第２の発明においては、土質改良材供給装置を構成する土質改良材の貯留タンクの上部カバーに、外気を取り入れ可能な内圧変動抑制手段を備えることにより、貯留タンクの内圧を、ほぼ外気圧に等しくし変動を抑制することができる。この内圧変動抑制手段としては、貯留タンクに設けた単なる通気孔でも良いし、この通気孔からの雨水等の侵入を避けたい場合、簡単かつ実用的な範囲では、通気孔にエアブリーザやＵ字管等を設けても良い。つまり、第１及び第２の発明においては、貯留タンク内の土質改良材が急激に減容しても、消費された土質改良材の容積分の外気が、内圧変動抑制手段を介して貯留タンク内に自然に取り入れられるので、貯留タンクの内圧の変動を抑制することができ、前述のような、内圧の低下による蛇腹部の変形や、土質改良材充填時に開閉蓋が開かなくなったりする不具合を防止することができる。
【００１１】
また、第３の発明は、上記第１又は第２の発明において、前記内圧変動抑制手段は、内部に中空の通気流路を有する基部と、この基部に螺合した際に、前記基部の通気流路と外気とを接続するように、そのネジ部に通気流路を有するキャップとからなるエアブリーザであることを特徴とする。
【００１２】
また、第４の発明は、受入れた土砂を土質改良材と混合し改質する自走式土質改良機に用いる土質改良材供給装置において、前記土質改良材を貯留する貯留タンクと、この貯留タンク内の土質改良材を導出するように前記貯留タンクの下部に設けた供給手段と、前記貯留タンク内に外気を取り入れ可能なように前記貯留タンクの上部カバーに設けた内圧変動抑制手段とを備えたことを特徴とする。
【００１３】
【発明の実施の形態】
以下、本発明の自走式土質改良機及びこれに用いる土質改良材供給装置の実施の形態を図面を参照しつつ説明する。
以下に説明する自走式土質改良機は、例えば宅地建設用地等において、掘削した表層の土砂をその場で受け入れて改質し、地盤強化を目的として表層に埋め戻すための改良土を生成したり、道路建設用地等において、現場内の所定の箇所を掘削して得た土砂をその場で受け入れて改質し、路床材として敷設するための改良土を生成するといった、いわゆる表層地盤安定化処理等に主に用いられるものである。
【００１４】
図１は本発明の自走式土質改良機の一実施の形態の全体構造を表す側面図、図２はその上面図である。これら図１及び図２において、１は走行体で、この走行体１は、左・右１対の走行装置２と、この走行装置２の上部に略平行に延設した１対の本体フレーム３とで構成されている。また、４は走行装置２のトラックフレームで、このトラックフレーム４は、本体フレーム３の下部に連設している。５，６はそれぞれこのトラックフレーム４の両端に設けた従動輪（アイドラ）及び駆動輪、７はこれら従動輪５及び駆動輪６に掛け回した履帯（無限軌道履帯）、８は駆動輪６に直結した駆動装置である。９ａ，９ｂは本体フレーム３上に立設した複数の支持ポストで、これら支持ポスト９ａ，９ｂは、支持フレーム１０，１１を支持している。
【００１５】
１２は改質対象となる土砂を受入れるホッパで、このホッパ１２は、上方拡開形状に形成され上下が開口しており、上記支持フレーム１０により、本体フレーム３の長手方向一方側（図１及び図２中左側）に支持されている。１３はこのホッパ１２で受入れた土砂を搬送する搬送コンベアで、この搬送コンベア１３は、ホッパ１２の下方から後述の混合装置１９の入口（図示せず）上方にかけて略水平に延設されている。
【００１６】
１４は搬送コンベア１３上の搬送中の土砂に土質改良材を添加する土質改良材供給装置で、この土質改良材供給装置１４は、水平断面が略方形の土質改良材の貯留タンク１５と、この貯留タンク１５内の土質改良材を下方に導出するよう貯留タンク１５の下部に設けた供給手段としてのスクリュフィーダ１６と、貯留タンク１５内の土質改良材をスクリュフィーダ１６に導く漏斗の役割を果たすシュート１７とで構成されており、上記支持フレーム１１によって、本体フレーム３のほぼ中央位置上に配設されている。１８は土質改良材充填用のクレーンで、このクレーン１８は、土質改良材供給装置１４の側方に位置するよう、幅方向片側（図２中上側）に配設してある。なお、土質改良材供給装置１４の詳細構造については後述する。
【００１７】
１９は搬送コンベア１３から導入された土砂及び土質改良材を、内蔵のパドルミキサによって混合し改良土を生成する混合装置で、この混合装置１９は、本体フレーム３の長手方向ほぼ中央上に設けてある。２０は搬送コンベア１３の下流側（図１中右側）から混合装置１９の入口（図示せず）に亘る、スクリューフィーダ１６が臨む空間を包囲するカバーで、このカバー２０によって、スクリュフィーダ１６からの土質改良材の飛散を防止している。
【００１８】
２１は自走式土質改良機に備えられた各機器の動力源等を内蔵した動力装置で、この動力装置２１は、本体フレーム３の長手方向他方側（図１中右側）端部に支持部材２２を介して支持されている。２３はこの動力装置２１の前方側（図１及び図２中左側）の区画に設けた運転席で、この運転席２３には、走行装置２の操作レバー２４等が備えられている。２５は混合装置１９等の走行装置２以外の各機器を操作する操作盤で、この操作盤２５は、運転席２３の下方に設けられている。
【００１９】
２６は混合装置１９で生成された改良土を機外に排出する排出コンベアで、この排出コンベア２６は、混合装置１９の下方から機外（この場合図１中右側）に向かって所定距離略水平に延在した後、動力装置２１の下方付近から上り傾斜に延在するよう、本体フレーム３から吊り下げ支持してある。２７はこの排出コンベア２６の駆動装置（図２参照）である。２８は動力装置２１の後方（図１中右側）に設けたアーム、２９，３０は、それぞれこのアーム２８から排出コンベア２６の中間部及び下流側部分（図１中右側部分）の荷重を支持する支持部材である。
【００２０】
続いて、前述の土質改良材供給装置１４の詳細構造を説明する。
図３は土質改良材供給装置１４の外観構成を表す側面図、図４はその上面図である。これら図３及び図４において、３１は土質改良材供給装置１４のベースフレームで、このベースフレーム３１は、上記支持フレーム１１（図１参照）により支持してある。３２はこのベースフレーム３１の上部に位置する上下方向に伸縮可能な貯留タンク１５の胴部をなす蛇腹部、３３は蛇腹部３２の上部カバーをなす上部カバーである。３４はこの上部カバー３３に設けた土質改良材充填口の開閉蓋で、この開閉蓋３４は、上部カバー３３に蝶番３５（図４参照）を介して開閉可能に取付けてある。３６は開閉蓋３４を閉めた状態のときに固定するストッパ（図４参照）である。
【００２１】
３７はベースフレーム３１に対し貯留タンク１５の周囲複数箇所（この例では４箇所）設けた貫通口（図示せず）の上部に連設したガイド部材、３８はこれらガイド部材３７に挿通可能な貯留タンク１５の支柱、３９は各支柱３８の貯留タンク１５に対する取付部である。各支柱３８の上下には、それぞれ所定の位置にピン穴４０（上側のもののみ図３に図示）が穿設されており、蛇腹部３２を伸縮させ、ストッパピン４１により、ガイド部材３７に対し上下いずれかのピン穴４０の位置で固定することにより、貯留タンク１５の高さ及び内部容積が変更可能である（図３の状態は下側のピン穴３０で固定され、内部容積が確保された状態である）。
【００２２】
図５は、図４中のＶ−Ｖ断面による断面図で、土質改良材供給装置１４の内部構造を表す図である。この図５において、４２は上部カバー３３の下部面に対し前述の土質改良材充填口（図示せず）の周囲に設けた複数の支持部材、４３は各支持部材４２により、土質改良材充填口の下方位置に垂設された格子部材、４４はこの格子部材４３上に先端を土質改良材充填口に向けて設けたカッタである。貯留タンク１５に土質改良材を充填する際には、開閉蓋３４を開け、上記クレーン１８（図２参照）により土質改良材の入ったフレキシブルコンテナを土質改良材充填口に挿入すると、フレキシブルコンテナが自重でカッタ４４に押し付けられ、それにより生じた底部の裂け目を介し、フレキシブルコンテナ内の土質改良材が貯留タンク１５内に充填される。
【００２３】
４５は上記スクリュフィーダ１６の円筒状のケーシング、４６はこのケーシング４５の内部に回転可能に設けたスクリュである。４７はケーシング４５に対する土質改良材の入口である。この入口４７は、スクリュ４６の軸方向に長手方向とした形で設けられており（軸方向に比較的長く設けられており）、また、入口４７には、上記のシュート１７が連接している。４８はケーシング４５の土質改良材の出口で、この出口４８は、上記搬送コンベア１３（図１参照）の下流側（図１中右側）端部付近の上方に位置している。４９はスクリュフィーダ１６の駆動装置で、この駆動装置４９によって、スクリュ４６を回転駆動させ、スクリュ４６の螺旋状のオーガ内に満たされた土質改良材を出口４８に向かって移送する構成である。
【００２４】
図３及び図４に戻り、５０は本実施の形態の最も大きな特徴をなすエアブリーザで、このエアブリーザ５０は、貯留タンク１５内に外気を取り入れ可能なよう、貯留タンク１５の上部カバー３３に設けたもので、貯留タンク１５内の圧力をほぼ外気圧に等しくする内圧変動抑制手段の役割を果たす。以下に、このエアブリーザ５０の構造を説明する。
【００２５】
図６はエアブリーザ５０の詳細構造を表す縦断面図、図７はこの図６中のＶＩＩ−ＶＩＩ断面による断面図で、図７においては、基部５１（下記）を省略し、キャップ５２（下記）のみの断面を図示してある。これら図６及び図７において、５１は中空の（筒状の）エアブリーザ５０の基部、５２はそのキャップで、エアブリーザ５０は、これら基部５１とキャップ５２とで構成されている。５３は基部５１の下端に設けたネジ部で、エアブリーザ５０は、このネジ部５３によって、貯留タンク１５の上部カバー３３に螺合される。５４は基部５１及びキャップ５２を螺合するネジ部である。５５は中空の基部５１の通気流路で、この通気流路５５の上部は拡径している。５６はキャップ５２に設けた絞り部で、この絞り部５６は、通気流路５５の拡径部分に臨み、その流路を絞っている。５７はキャップ５２に設けた通気流路で、この通気流路５７は、キャップ５２を基部５１に螺合した際に、基部５１の通気流路５５と外気とを接続するよう、ネジ部５４を一部切り欠いて形成してある。本実施の形態では、この通気流路５７を、ネジ部５４の外周部の２箇所に設けた場合を図示したが、１箇所又は３箇所以上であっても構わない。つまり、このエアブリーザ５０においては、貯留タンク１５の内部空間に接続した通気流路５５が、キャップ５２部分で折返し、通気流路５７に接続する形で、折返し流路を形成している。
【００２６】
次に、上記構成の本発明の自走式土質改良機の一実施の形態の動作及び作用を説明する。
図１において、例えば油圧ショベル等によりホッパ１２に改質対象となる土砂を投入すると、ホッパ１２に受け入れられた土砂は、搬送コンベア１３により混合装置１９に向かって搬送される。また、この搬送中の土砂に対し、土質改良材供給装置１４によって、土質改良材が供給され、土砂と共に混合装置１９に供給される。これら土砂及び土質改良材は、混合装置１９内でパドルミキサ（図示せず）によって均一に混合処理され、排出コンベア２６上に改良土として排出され、この排出コンベア２６によって、最終的に機外に搬出される。
【００２７】
ここで、前述の表層地盤安定化処理においては、大量の掘削土砂や現場によっては高含水比の土砂をその場で逐次処理していかなければならないため、改質対象土砂の量や含水比に見合った大量の土質改良材を供給する必要がある。これに対応するため、本実施の形態においては、土質改良材供給装置１４における土質改良材の供給手段として、スクリュフィーダ１６を用いており、このスクリュフィーダ１６は、高速駆動時でもケーシング４５内のスクリュ４６間の空間に土質改良材が十分に充填され、スクリュ４６の回転数に関わらずその回転数に応じた土質改良材が供給可能であるため、ロータリフィーダで土質改良材を供給するいわゆる建設発生土改良に広く用いられていた従来の自走式土質改良機に比べ、大量の改質対象土砂に見合った大量の土質改良材を精度良く供給することができるよう、考慮されている。また、本実施の形態の自走式土質改良機は、走行体１上に各機器を集約配置して構成してあるため、土質改良材の貯留タンク１５は、作業中における内部容積の確保と、輸送時における輸送制限のクリアとを満足するため、前述したように蛇腹部３２を設けてある。
【００２８】
しかしながら、この自走式土質改良機が表層地盤安定化処理等に供されるに際し、時間当りに大量の土質改良材を供給する場合には、図８に示したように、貯留タンク１５内の土質改良材が急激に減容し、これに伴う貯留タンク１５の内圧の低下により、蛇腹部３２に強い引っ張り力が作用して貯留タンク１５が変形する。また、図８の状態では、貯留タンク１５内の気圧が外気圧よりも低圧（負圧）になっているため、土質改良材充填時、開閉蓋３４を開けることさえ困難な場合も生じる。これは、高速回転時であっても、スクリュフィーダ１６のケーシング４５内が土質改良材で満たされるスクリュフィーダ１６を採用しているため、スクリュフィーダ１６側からの貯留タンク１５内への外気の侵入がほとんどなく、若干の空気の置換を伴うロータリフィーダを用いた土質改良材供給装置を搭載した従来の自走式土質改良機に比して顕著となる現象である。
【００２９】
そこで、本実施の形態においては、土質改良材供給装置１４を構成する土質改良材の貯留タンク１５の上部カバー３３に、外気を取り入れ可能なエアブリーザ５０を備えることにより、貯留タンク１５の内圧を、ほぼ外気圧に等しくし変動を抑制することができる。つまり、図８に示したように、貯留タンク１５内の土質改良材が急激に減容しても、消費された土質改良材の容積分の外気が、エアブリーザ５０を介して貯留タンク１５内に自然に取り入れられるので、貯留タンク１５内が負圧となることを防止でき、前述のような、内圧の低下により、蛇腹部３２に強い引っ張り力が作用して貯留タンク１５が変形したり、土質改良材充填時に開閉蓋３４が開かなくなったりする不具合を防止することができる。
【００３０】
また、エアブリーザ５０の通気流路は、前述のように通気流路５５，５７によって折返し形状となっており、その上部がキャップ５２によってカバーされているため、この内圧変動防止の構造によって、例えば雨水等が貯留タンク１５内に侵入することを防止することができる。
【００３１】
しかしながら、本発明の本質的目的は、上述の貯留タンク１５の内圧変動を抑制し負圧の発生を防止することにあり、この目的を達成する限りにおいて、内圧変動抑制手段としては、様々な変形例が考えられる。以下に、それら変形例を簡単に２つ説明する。
【００３２】
図９は、本発明の自走式土質改良機に用いる土質改良材供給装置の一変形例を表す断面図で、先の図３に対応する図である。但し、この図９において、先の各図と同様の部分には同符号を付し説明を省略する。この図９の土質改良材供給装置１４Ａは、エアブリーザを設けず、貯留タンク１５の上部カバー３３に単に通気孔６０を設けたもので、その他の構成は、先の土質改良材供給装置１４と同様である。このような構成であっても、土質改良材の消費に伴い、その消費容積分だけ、通気孔６０を介して貯留タンク１５内に外気が自然に流入するので、上述の貯留タンク１５の内圧変動を抑制し負圧の発生を防止することができる。なお、雨水防止の効果を得るためには、例えばこの通気孔６０に対し、貯留タンク１５の内から外への流れを防止し、貯留タンク１５内への外気の流れのみを通すよう、逆止弁（チェッキ弁）等を設ければ良い。
【００３３】
図１０は、本発明の自走式土質改良機に用いる土質改良材供給装置の他の変形例を表す側面図で、先の図５に対応する図である。但し、この図１０において、先の各図と同様の部分には同符号を付し説明を省略する。この図１０の土質改良材供給装置１４Ｂは、エアブリーザの代わりに、Ｕ字管６１を設けたもので、その他の構成は、先の土質改良材供給装置１４と同様である。このような構成であっても、土質改良材の消費に伴い、その消費容積分だけ、Ｕ字管６１を介して貯留タンク１５内に外気が自然に流入するので、上述の貯留タンク１５の内圧変動を抑制し負圧の発生を防止することができ、なおかつ貯留タンク１５内への雨水の侵入も防止できる。
【００３４】
なお、以上のように説明した本発明の自走式土質改良機及びこれに用いる土質改良材供給装置の実施の形態及び変形例においては、内圧変動抑制手段を上部カバー３３に設けた例を説明したが、これに限られず、例えば蛇腹部３２の上方位置等でも良い。要するに貯留タンク１５の上方位置であれば良い。但し、貯留タンク１５の側面に設ける場合、エアブリーザ５０やＵ字管６１等は、雨水等の侵入を防止するためには、その通気出口部分が上向きとならないよう、取り付け方、或いはそれ自体の形状に留意する。
【００３５】
また、本発明は、例えば、建設現場等で発生する建設発生土を、土質改良材と混合処理してリサイクル用の改良土製品を生成するといった建設発生土改良に広く用いらる従来の自走式土質改良機にも勿論適用可能であり、同様の効果を得ることができる。加えて、この種のロータリフィーダを用いた土質改良材供給装置を搭載したものは、貯留タンク内が負圧となると、その影響により、前述したロータリフィーダ内のロータ隔壁間への土質改良材の導入性が低下する可能性も考えられるが、本発明を適用することにより、貯留タンクの内圧を一定（外気）に保たれるため、それを防止できる。
【００３６】
また、本発明は、ホッパ上部に土砂中の異物を除去する振動式（又は固定式）の篩を設けた自走式土質改良機や、この篩の上方にいわゆる煽りを設けた自走式土質改良機、或いはいわゆるホイール式の走行装置を備えた自走式土質改良機に対しても適用可能である。また、パドルミキサを備えたいわゆるミキシング方式の混合装置１９を搭載した自走式土質改良機を例に説明したが、例えばパドルミキサに代えてスクリューミキサを備えた混合装置や、高速回転する回転打撃子等を用いて土砂及び土質改良材を解砕混合するいわゆる解砕方式の混合装置等、他の構成の混合装置を備えた自走式土質改良機においても、本発明は適応可能である。これらの場合も同様の効果を得る。
【００３７】
【発明の効果】
本発明によれば、貯留タンク内の土質改良材が急激に減容しても、消費された土質改良材の容積分の外気が、内圧変動抑制手段を介して貯留タンク内に自然に取り入れられるので、貯留タンクの内圧の変動を抑制することができ、内圧の低下による貯留タンクの変形や、土質改良材充填時に貯留タンクの開閉蓋が開かなくなるなどの不具合を防止することができる。
【図面の簡単な説明】
【図１】本発明の自走式土質改良機の一実施の形態の全体構造を表す側面図である。
【図２】本発明の自走式土質改良機の一実施の形態の全体構造を表す上面図である。
【図３】本発明の自走式土質改良機の一実施の形態に用いられる土質改良材供給装置の外観構成を表す側面図である。
【図４】本発明の自走式土質改良機の一実施の形態に用いられる土質改良材供給装置の外観構成を表す上面図である。
【図５】本発明の自走式土質改良機の一実施の形態に用いられる土質改良材供給装置の内部構造を表す図４中のＶ−Ｖ断面による断面図である。
【図６】本発明の自走式土質改良機の一実施の形態に用いられる土質改良材供給装置に備えられたエアブリーザの詳細構造を表す縦断面図である。
【図７】本発明の自走式土質改良機の一実施の形態に用いられる土質改良材供給装置に備えられたエアブリーザの図６中のＶＩＩ−ＶＩＩ断面による断面図である。
【図８】本発明の自走式土質改良機の一実施の形態に用いられる土質改良材供給装置ににおいて、貯留タンク内が負圧となったと仮定した状態を表す図である。
【図９】本発明の自走式土質改良機に用いる土質改良材供給装置の一変形例を表す断面図で、図３に対応する図である。
【図１０】本発明の自走式土質改良機に用いる土質改良材供給装置の他の変形例を表す側面図で、図５に対応する図である。
【符号の説明】
１４        土質改良材供給装置
１４Ａ，Ｂ  土質改良材供給装置
１５        貯留タンク
１６        スクリュフィーダ（供給手段）
３３        上部カバー
５０        エアブリーザ（内圧変動抑制手段）
５１        基部
５２        キャップ
５４        ネジ部
５５        通気流路
５７        通気流路
６０        通気孔（内圧変動抑制手段）
６１        Ｕ字管（内圧変動抑制手段）
【図１】
2004225455.tif 000003
【図２】
2004225455.tif 000004
【図３】
2004225455.tif 000005
【図４】
2004225455.tif 000006
【図５】
2004225455.tif 000007
【図６】
2004225455.tif 000008
【図７】
2004225455.tif 000009
【図８】
2004225455.tif 000010
【図９】
2004225455.tif 000011
【図１０】
2004225455.tif 000012